(57)【要約】【課題】新しい発想により特異形状のファスナーエレメントを創造することにより、３次元での使い方を可能とするスライドファスナーの新しい機能を提供する。【解決手段】水平ファスナーテープの相対する開閉端の縁部に沿って列設されたエレメントとスライダーとから構成され、スライダーをエレメントに沿って摺動させることにより開閉するスライドファスナーであって、１つのスライダーを用いて１回の操作で水平方向の開閉部を開閉する水平機能部と、垂直方向の開閉部を開閉する垂直機能部とを備える。【選択図】図１
2011015813.tif 000002
【特許請求の範囲】
【請求項１】
水平ファスナーテープの相対する開閉端の縁部に沿って列設されたエレメントとスライダーとから構成され、前記スライダーを前記エレメントに沿って摺動させることにより開閉するスライドファスナーであって、１つのスライダーを用いて１回の操作で水平方向の開閉部を開閉する水平機能部と、垂直方向の開閉部を開閉する垂直機能部とを備えたことを特徴とするスライドファスナー。
【請求項２】
前記水平機能部は、前記エレメントに沿って前記スライダーを摺動させることにより噛合・離脱するエレメントの頭部と前記エレメントの頭部の噛合・離脱に応じて水平方向に開閉する水平ファスナーテープとを有し、前記垂直機能部は、前記エレメントの水平方向に対して垂直方向に延設し、その延設した部分を鉤形に屈曲したエレメントの脚部と前記エレメントの頭部の噛合・離脱に協働して前記エレメントの脚部の先端を近接・離散して形成する保持部と前記保持部に係合して垂直方向に開閉する垂直ファスナーテープとを有することを特徴とする請求項１記載のスライドファスナー。
【請求項３】
前記エレメントの脚部の先端は、近接させたとき直線的な間隙ができるように、平面によって形成されることを特徴とする請求項２記載のスライドファスナー。
【請求項４】
前記エレメントの脚部の先端は、近接させたとき直線的な間隙ができないように、凸部、三角状のふくらみ部のような非平面によって形成されることを特徴とする請求項２記載のスライドファスナー。
【発明の詳細な説明】
【技術分野】
【０００１】
本発明は、新しい発想により特異形状のファスナーエレメントを創造して、新しい機能を備えたスライドファスナーに関する。
【背景技術】
【０００２】
現存するスライドファスナーの多くは、エレメント（務歯）をテープの端縁部に並べて取り付けたもので、左右対になった一組のエレメントの間をスライダーを動かすことで、左右のエレメント同士が順に噛み合わさってゆき、自在に開閉できる構造である。開いている状態からスライダーを噛み合っていない方向に引っ張って動かせば、動かした位置まで噛み合い、噛み合っている状態からスライダーを噛み合わさっている方向に引っ張って動かせば、動かした位置まで開くように動作する。主に衣服やバッグ等の開口部に取り付けられ、衣服の着脱やバッグでの出し入れを容易にする。
【発明の概要】
【発明が解決しようとする課題】
【０００３】
従来のスライドファスナーは、上述したように衣服の着脱、バッグの開閉に使用されるように２次元での使い方しかできなかった。本発明は、新しい発想により特異形状のファスナーエレメントを創造することにより、３次元での使い方を可能とするスライドファスナーの新しい機能を提供することを目的とする。
【課題を解決するための手段】
【０００４】
上記目的を達成するため、請求項１のスライドファスナーは、水平ファスナーテープの相対する開閉端の縁部に沿って列設されたエレメントとスライダーとから構成され、スライダーをエレメントに沿って摺動させることにより開閉するスライドファスナーであって、１つのスライダーを用いて１回の操作で水平方向の開閉部を開閉する水平機能部と、垂直方向の開閉部を開閉する垂直機能部とを備えたことを特徴とするものである。
【０００５】
また、請求項２のスライドファスナーは、請求項１記載のスライドファスナーであって、水平機能部は、エレメントに沿ってスライダーを摺動させることにより噛合・離脱するエレメントの頭部とエレメントの頭部の噛合・離脱に応じて水平方向に開閉する水平ファスナーテープを固定する水平ファスナーテープ固定部とを有し、前記垂直機能部は、前記エレメントの水平方向に対して垂直方向に延設し、その延設した部分を鉤形に屈曲したエレメントの脚部と前記エレメントの頭部の噛合・離脱に協働して前記エレメントの脚部の先端を近接・離散して形成する保持部と前記保持部に係合して垂直方向に開閉する垂直ファスナーテープを固定する垂直ファスナーテープ固定部とを有することを特徴とするものである。
【０００６】
また、請求項３のスライドファスナーは、請求項２記載のスライドファスナーであって、エレメントの脚部の先端は、近接させたとき直線的な間隙ができるように、平面によって形成されることを特徴とするものである。
【０００７】
また、請求項４スライドファスナーは、請求項２記載のスライドファスナーであって、エレメントの脚部の先端は、近接させたとき直線的な間隙ができないように、凸部、三角状のふくらみ部のような非平面によって形成されることを特徴とするものである。
【発明の効果】
【０００８】
請求項１記載のスライドファスナーによれば、１つのスライダーを用いて１回の操作で水平方向の開閉部を開閉する水平機能部と、垂直方向の開閉部を開閉する垂直機能部とを備えたことにより、３次元での使い方を可能とするスライドファスナーの新しい機能を提供することができる。
【０００９】
請求項２記載のスライドファスナーによれば、水平機能部は、エレメントに沿ってスライダーを摺動させることにより噛合・離脱するエレメントの頭部とエレメントの頭部の噛合・離脱に応じて水平ファスナーテープを固定する水平ファスナーテープ固定部とを有し、垂直機能部は、エレメントの水平方向に対して垂直方向に延設し、その延設した部分を鉤形に屈曲したエレメントの脚部とエレメントの頭部の噛合・離脱に協働してエレメントの脚部の先端を近接・離散して形成する保持部と保持部に係合して垂直方向に開閉する垂直ファスナーテープを固定する垂直ファスナーテープ固定部とを有することにより、スライダーの数を1つにするとともに１回のスライド操作で、３次元での使い方を可能とするスライドファスナーの新しい機能を提供することができる。
【００１０】
請求項３記載のスライドファスナーによれば、エレメントの脚部の先端は、近接させたとき直線的な間隙ができるように、平面によって形成されるので、垂直ファスナーテープが挟まれた状態で平行移動したり、エレメントの頭部を噛合わせた後から垂直ファスナーテープを端から滑らせながら挿入することができる。
【００１１】
請求項４記載のスライドファスナーによれば、エレメントの脚部の先端は、近接させたとき直線的な間隙ができないように、凸部、三角状のふくらみ部のような非平面によって形成されるので、スライダーを摺動するとき及びスライダーを摺動して脚部を近接した後、ファスナーを長時間使用しても垂直ファスナーテープをスライダーの進行方向に対してずれないようにすることができる。
【図面の簡単な説明】
【００１２】
【図１】本発明のスライドファスナーの実施形態を示す斜視図である。
【図２】図１に示すスライドファスナーの裏側の部分裏面図である。
【図３】図２に示すＡ−Ａ線に沿った矢視断面図である。
【図４】図２に示すＢ−Ｂ線に沿った矢視断面図である。
【図５】図２に示すＣ−Ｃ線に沿った矢視断面図である。
【図６】図２に示すＤ−Ｄ線に沿った矢視断面図である。
【図７】本発明のスライドファスナーを構成するエレメントの第一実施例を示す斜視図である。
【図８】本発明のスライドファスナーを構成するスライダーの第一実施例を示す斜視図である。
【図９】図８に示すＥ−Ｅ線に沿った矢視断面図である。
【図１０】図８に示すＦ−Ｆ線に沿った矢視断面図である。
【図１１】図８に示すＧ−Ｇ線に沿った矢視断面図である。
【図１２】図８に示すＨ−Ｈ線に沿った矢視断面図である。
【図１３】図８に示すＩ−Ｉ線に沿った矢視断面図である。
【図１４】図８に示すＪ−Ｊ線に沿った矢視断面図である。
【図１５】本発明のスライドファスナーを構成するスライダーの第二実施例を示す斜視図である。
【図１６】同、水平機能部のエレメントの頭部の噛合により垂直機能部のエレメントの脚部が近接する動作の説明図である。
【図１７】同、エレメントの脚部の近接により形成する保持部に垂直ファスナーテープが係合する動作の説明図である。
【図１８】同、エレメントの脚部の近接により形成する保持部に垂直ファスナーテープが係合する他の動作の説明図である。
【図１９】スライドファスナーを構成するエレメントの第二実施例を示す斜視図である。
【図２０】スライドファスナーを構成するエレメントの第三実施例を示す斜視図である。
【発明を実施するための形態】
【実施例】
【００１３】
以下、本発明によるスライドファスナーの実施の形態を、図１〜図６を参照しながら具体的に説明する。図１に示すように、スライドファスナー１０は、水平ファスナーテープ３３の相対する開閉端の縁部に沿って列設されたエレメント３０とスライダー４０とから構成される。１つのスライダー４０を左右対になったエレメント３０に沿って摺動させることにより１回の操作で水平方向の開閉部を開閉する水平機能部３１と、垂直方向の開閉部を開閉する垂直機能部３５とを備えている。
【００１４】
水平機能部３１は、図２に示すように、エレメント３０に沿ってスライダー４０を矢印Ｘの方向に摺動させると、Ｄ−Ｄ線の位置（図６）ではエレメントの頭部３２は離脱していたが、Ｃ−Ｃ線の位置（図５）、Ｂ−Ｂ線の位置（図４）のように漸次近づき、最終的にはＡ−Ａ線の位置（図３）のように噛合い、水平ファスナーテープ３３を水平方向に閉じる。
【００１５】
垂直機能部３５は、エレメント３０の水平方向に対して垂直方向に延設したエレメントの脚部３６を鉤形に屈曲し、鉤形に屈曲した脚部３６の先端３６ａはＤ−Ｄ線の位置（図６）では離散していたが、エレメントの頭部３２の動作に協働して、エレメントの脚部３６の先端３６ａはＣ−Ｃ線の位置（図５）、Ｂ−Ｂ線の位置（図４）のように漸次近づき、最終的にはＡ−Ａ線の位置（図３）のように近接して保持部３７を形成し、保持部３７に垂直ファスナーテープ３８の垂直ファスナーテープ固定部３９を係合して垂直方向に閉じる。
【００１６】
次に、スライドファスナーを構成するエレメント３０、スライダー４０の詳細を図７〜図１５を参照しながら説明する。
【００１７】
エレメント３０は、図７に示すように、スライダーを摺動させることにより噛合・離脱するエレメントの頭部３２とエレメントの頭部３２の噛合・離脱に応じて水平方向に開閉する水平ファスナーテープ３３を固定する水平ファスナーテープ固定部３４とエレメントの水平方向に対して垂直方向に延設し、その延設した部分を鉤形に屈曲したエレメントの脚部３６とエレメントの頭部３２の噛合・離脱に協働してエレメントの脚部３６の先端３６ａを近接・離散することにより形成する保持部３７とを備えた特異形状をしている。保持部３７には垂直ファスナーテープ３８の垂直ファスナーテープ固定部３９が係合される。
【００１８】
スライダー４０は、図８に示すように、エレメント３０を挿通して噛合・離脱させるスライダー本体５０とスライダー本体５０を移動させる引き手６０とから構成される。スライダー本体５０は、図８に示した各直線Ｅ〜Ｊで切断した断面図（図９〜図１４）に示すように、水平機能部側ケース５１と垂直機能部側ケース５２から成り（図９）、両者を連結する連結部５３で連結されている（図１３）。水平機能部側ケース５１と垂直機能部側ケース５２の間には水平ファスナーテープ３３を挿通する水平スリット５４が設けられ、また、垂直機能部側ケース５２の真中には垂直ファスナーテープ３８を挿通する垂直スリット５５が設けられている。
【００１９】
スライダー本体５０の内部は、水平ファスナーテープ３３の相対する開閉端の縁部に沿って列設された複数のエレメント３０が挿通するエレメント通路５６が形成され、直線Ｅ側のエレメント通路５６は噛合ったエレメント３０を挿通可能とし（図９）、直線Ｉ側のエレメント通路５６は連結部５３によって離脱したエレメント３０を左右に分離して挿通可能とする（図１３）。水平機能部側ケース５１には中心に引き手取付部５７が立設され（図１０、図１１、図１５）、垂直機能部側ケース５２には垂直スリット５５の両側に引き手取付部５８、５９が立設されている（図８、図１０、図１１）。
【００２０】
引き手６０は、図８及び図１２〜図１４に示すように、スライダー本体５０への取付部６１、６２、６３と摘み部６４から成り、取付部６１はスライダー本体５０の水平機能部側ケース５１の引き手取付部５７に、取付部６２、６３はスライダー本体５０の垂直機能部側ケース５２の引き手取付部５８、５９に、スライダー本体５０の両側から挟み込むようにして取り付ける。この場合、スライダー４０を矢印Ｘ（図２）の方向に摺動させるには引き手６０を引き、矢印Ｘ（図２）の逆方向に摺動させるには引き手６０を押す。
【００２１】
上述したスライダー４０は、引き手６０をスライダー本体５０の両側から挟み込む方式であったが、図１５に示すように、従来の平状の引き手７０を採用した第二実施例のような構成をとることも可能である。この場合、スライダー４０を矢印Ｘ（図２）の方向に摺動させるには引き手７０を引き、矢印Ｘ（図２）の逆方向に摺動させるには引き手７０を１８０度回転させて引く。
【００２２】
このように特異形状をしたエレメント３０とスライダー４０とから構成されたスライドファスナー１０の作用について説明する。図１、図２に示すように、水平ファスナーテープ３３の縁端部に列設された複数個のエレメント３０に沿ってスライダー４０を摺動させると、図３〜図６及び図１６に示すように、エレメントの頭部３２が噛合ったり離脱したりして水平ファスナーテープ固定部３４に固定された水平ファスナーテープ３３が開閉接続する（図１６）。
【００２３】
エレメント３０の頭部３２が噛合うと、図３〜図６及び図１６、図１７に示すように、エレメントの水平方向に対して垂直方向に延設されたエレメントの脚部３６の先端３６ａが、エレメントの頭部３２の噛合わせに協働して近接する（図１６）。エレメントの脚部３６は鉤形に屈曲されているのでエレメントの脚部３６の先端３６ａの近接により保持部３７を形成する。エレメントの脚部３６の先端３６ａの近接により保持部３７が形成されると、垂直ファスナーテープ３８を固定した垂直ファスナーテープ固定部３９が保持部３７に係合される（図１７）。
【００２４】
図１７は、保持部３７に係合される垂直ファスナーテープ３８が連続した１本である基本型を示したものであるが、図１８に示すように、垂直ファスナーテープ３８を複数個に分けることも可能である。複数個に分けることにより、多様な素材、例えば金属製の素材と樹脂製の素材の配列を適時組み換えて作ることができる。
【００２５】
以上の実施例は、エレメントの脚部３６の先端３６ａは、平面によって形成されるので、近接させたとき直線的な間隙ができる。従って、垂直ファスナーテープ３８が挟まれた状態で平行移動したり、エレメントの頭部３２を噛合わせた後から垂直ファスナーテープ３８を端から滑らせながら挿入することができる。
【００２６】
それに対して、エレメントの脚部３６の先端３６ａを非平面によって形成することによりファスナーを長時間使用しても垂直ファスナーテープ３８をスライダーの進行方向に対してずれないようにすることができる。図１９は、エレメント３０の第二実施例を示したもので、鉤形に屈曲されているエレメントの脚部３６の先端３６ａに凸部３６ｂを突設し直線的な間隙ができないようにした。
【００２７】
また、図２０は、エレメント３０の第三実施例を示したもので、鉤形に屈曲されているエレメントの脚部３６の先端３６ａに三角状のふくらみ部３６ｃを突設し、第二実施例と同様に直線的な間隙ができないようにした。このようにエレメントの脚部３６の先端３６ａを凸部３６ｂ、三角状のふくらみ部３６ｃのような非平面によって形成することによりスライダーを摺動するとき及びスライダーを摺動して脚部を近接した後、ファスナーを長時間使用しても垂直ファスナーテープ３８をスライダーの進行方向に対してずれないようにすることができる。
【００２８】
以上説明したように、本発明のスライドファスナーによれば、新しい発想により特異形状のファスナーエレメントを創造することにより、１つのスライダーを用いて１回の操作で水平方向に開閉接続される水平機能部と、水平方向に対して垂直方向に開閉接続される垂直機能部とを備えたことにより、３次元での使い方を可能とするスライドファスナーの新しい機能を提供することができる。
【００２９】
従って、バッグの入り口に応用すれば、従来はバッグの入り口の開閉と内部を小分けにする開閉とを別々のファスナーとスライダーで行なっていたが、１つのスライダーで同時に入り口の開閉と内部を小分けにする開閉とを実現することができる。
【００３０】
また、水平機能部、垂直機能部を天地方向として仮設テントの間仕切に応用すれば、仮設テントの内部に形成された１つの居住空間を１つのスライダーを用いて１回の操作で３つの独立した空間に分割することができる。
【符号の説明】
【００３１】
１０  スライドファスナー
３０  エレメント
３１  水平機能部
３２  エレメントの頭部
３３  水平ファスナーテープ
３４  水平ファスナーテープ固定部
３５  垂直機能部
３６  エレメントの脚部
３６ａ  脚部３６の先端
３６ｂ  先端３６ａに突設した凸部
３６ｃ  先端３６ａに突設した三角状のふくらみ部
３７  保持部
３８  垂直ファスナーテープ
３９  垂直ファスナーテープ固定部
４０  スライダー
５０  スライダー本体
５１  水平機能部側ケース
５２  垂直機能部側ケース
５３  連結部
５４  水平スリット
５５  垂直スリット
５６  エレメント通路
５７  水平機能部側ケースの引き手取付部
５８  垂直機能部側ケースの引き手取付部
５９  垂直機能部側ケースの引き手取付部
６０  引き手
６１  取付部
６２  取付部
６３  取付部
６４  摘み部
７０  平状の引き手
【図１】
2011015813.tif 000003
【図２】
2011015813.tif 000004
【図３】
2011015813.tif 000005
【図４】
2011015813.tif 000006
【図５】
2011015813.tif 000007
【図６】
2011015813.tif 000008
【図７】
2011015813.tif 000009
【図８】
2011015813.tif 000010
【図９】
2011015813.tif 000011
【図１０】
2011015813.tif 000012
【図１１】
2011015813.tif 000013
【図１２】
2011015813.tif 000014
【図１３】
2011015813.tif 000015
【図１４】
2011015813.tif 000016
【図１５】
2011015813.tif 000017
【図１６】
2011015813.tif 000018
【図１７】
2011015813.tif 000019
【図１８】
2011015813.tif 000020
【図１９】
2011015813.tif 000021
【図２０】
2011015813.tif 000022
【手続補正書】
【提出日】平成22年2月4日(2010.2.4)
【手続補正１】
【補正対象書類名】特許請求の範囲
【補正対象項目名】全文
【補正方法】変更
【補正の内容】
【特許請求の範囲】
【請求項１】
水平ファスナーテープの相対する開閉端の縁部に沿って列設されたエレメントとスライダーとから構成され、前記スライダーを前記エレメントに沿って摺動させることにより１回の操作で水平方向の開閉部及び垂直方向の開閉部を開閉するスライドファスナーにおいて、前記水平方向の開閉部を開閉する水平機能部と、前記垂直方向の開閉部を開閉する垂直機能部とを備え、前記水平機能部は、前記エレメントに沿って前記スライダーを摺動させることにより噛合・離脱するエレメントの頭部と前記エレメントの頭部の噛合・離脱に応じて水平方向に開閉する水平ファスナーテープとを有し、前記垂直機能部は、前記エレメントの水平方向に対して垂直方向に延設し、その延設した部分を鉤形に屈曲したエレメントの脚部と前記エレメントの頭部の噛合・離脱に協働して前記エレメントの脚部の先端を近接・離散して形成する保持部と前記保持部に係合して垂直方向に開閉する垂直ファスナーテープとを有することを特徴とするスライドファスナー。
【請求項２】
前記エレメントの脚部の先端は、近接させたとき直線的な間隙ができるように、平面によって形成されることを特徴とする請求項１記載のスライドファスナー。
【請求項３】
前記エレメントの脚部の先端は、近接させたとき直線的な間隙ができないように、凸部、三角状のふくらみ部のような非平面によって形成されることを特徴とする請求項１記載のスライドファスナー。
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】変更
【補正の内容】
【０００５】
上記目的を達成するため、請求項１のスライドファスナーは、水平ファスナーテープの相対する開閉端の縁部に沿って列設されたエレメントとスライダーとから構成され、スライダーを前記エレメントに沿って摺動させることにより１回の操作で水平方向の開閉部及び垂直方向の開閉部を開閉するスライドファスナーにおいて、水平方向の開閉部を開閉する水平機能部と、垂直方向の開閉部を開閉する垂直機能部とを備え、水平機能部は、エレメントに沿ってスライダーを摺動させることにより噛合・離脱するエレメントの頭部とエレメントの頭部の噛合・離脱に応じて水平方向に開閉する水平ファスナーテープとを有し、垂直機能部は、エレメントの水平方向に対して垂直方向に延設し、その延設した部分を鉤形に屈曲したエレメントの脚部とエレメントの頭部の噛合・離脱に協働してエレメントの脚部の先端を近接・離散して形成する保持部と保持部に係合して垂直方向に開閉する垂直ファスナーテープとを有することを特徴とするものである。
【手続補正４】
【補正対象書類名】明細書
【補正対象項目名】０００６
【補正方法】変更
【補正の内容】
【０００６】
また、請求項２のスライドファスナーは、請求項１記載のスライドファスナーであって、エレメントの脚部の先端は、近接させたとき直線的な間隙ができるように、平面によって形成されることを特徴とするものである。
【手続補正５】
【補正対象書類名】明細書
【補正対象項目名】０００７
【補正方法】変更
【補正の内容】
【０００７】
また、請求項３のスライドファスナーは、請求項１記載のスライドファスナーであって、エレメントの脚部の先端は、近接させたとき直線的な間隙ができないように、凸部、三角状のふくらみ部のような非平面によって形成されることを特徴とするものである。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
請求項１のスライドファスナーによれば、水平ファスナーテープの相対する開閉端の縁部に沿って列設されたエレメントとスライダーとから構成され、スライダーを前記エレメントに沿って摺動させることにより１回の操作で水平方向の開閉部及び垂直方向の開閉部を開閉するスライドファスナーにおいて、水平方向の開閉部を開閉する水平機能部と、垂直方向の開閉部を開閉する垂直機能部とを備え、水平機能部は、エレメントに沿ってスライダーを摺動させることにより噛合・離脱するエレメントの頭部とエレメントの頭部の噛合・離脱に応じて水平方向に開閉する水平ファスナーテープとを有し、垂直機能部は、エレメントの水平方向に対して垂直方向に延設し、その延設した部分を鉤形に屈曲したエレメントの脚部とエレメントの頭部の噛合・離脱に協働してエレメントの脚部の先端を近接・離散して形成する保持部と保持部に係合して垂直方向に開閉する垂直ファスナーテープとを有することにより、垂直ファスナーテープを連続した１本とするだけでなく、複数個に分けて多様な素材、例えば金属製の素材と樹脂製の素材の配列を適時組み換えて作ることができ、３次元での使い方を可能とするスライドファスナーの新しい機能を提供することができる。
【手続補正８】
【補正対象書類名】明細書
【補正対象項目名】００１０
【補正方法】変更
【補正の内容】
【００１０】
請求項２記載のスライドファスナーによれば、エレメントの脚部の先端は、近接させたとき直線的な間隙ができるように、平面によって形成されるので、垂直ファスナーテープが挟まれた状態で平行移動したり、エレメントの頭部を噛合わせた後から垂直ファスナーテープを端から滑らせながら挿入することができる。
【手続補正９】
【補正対象書類名】明細書
【補正対象項目名】００１１
【補正方法】変更
【補正の内容】
【００１１】
請求項３記載のスライドファスナーによれば、エレメントの脚部の先端は、近接させたとき直線的な間隙ができないように、凸部、三角状のふくらみ部のような非平面によって形成されるので、スライダーを摺動するとき及びスライダーを摺動して脚部を近接した後、ファスナーを長時間使用しても垂直ファスナーテープをスライダーの進行方向に対してずれないようにすることができる。
【手続補正１０】
【補正対象書類名】明細書
【補正対象項目名】００２８
【補正方法】変更
【補正の内容】
【００２８】
以上説明したように、本発明のスライドファスナーによれば、水平方向の開閉部を開閉する水平機能部と、垂直方向の開閉部を開閉する垂直機能部とを備え、水平機能部は、エレメントに沿ってスライダーを摺動させることにより噛合・離脱するエレメントの頭部とエレメントの頭部の噛合・離脱に応じて水平方向に開閉する水平ファスナーテープとを有し、垂直機能部は、エレメントの水平方向に対して垂直方向に延設し、その延設した部分を鉤形に屈曲したエレメントの脚部とエレメントの頭部の噛合・離脱に協働してエレメントの脚部の先端を近接・離散して形成する保持部と保持部に係合して垂直方向に開閉する垂直ファスナーテープとを有することにより、垂直ファスナーテープを連続した１本とするだけでなく、複数個に分けて多様な素材、例えば金属製の素材と樹脂製の素材の配列を適時組み換えて作ることができ、３次元での使い方を可能とするスライドファスナーの新しい機能を提供することができる。
【手続補正１１】
【補正対象書類名】明細書
【補正対象項目名】００２９
【補正方法】削除
【補正の内容】